【手続補正書】
【提出日】平成20年4月3日(2008.4.3)
【手続補正１】
【補正対象書類名】明細書
【補正対象項目名】発明の名称
【補正方法】変更
【補正の内容】
【発明の名称】転写搬送シームレスベルトの製造方法
【手続補正２】
【補正対象書類名】明細書
【補正対象項目名】特許請求の範囲
【補正方法】変更
【補正の内容】
【特許請求の範囲】
【請求項１】  画像形成装置用の転写搬送シームレスベルトの製造方法において、
円筒状内型の外周長よりも小さな内周長を有する熱可塑性無端状フィルムの周長を伸張させて該フィルムを該内型の外周面に嵌合する工程と、
該フィルムを嵌合した該内型の外側に、該内型よりも線膨張係数が小さく、その内周面に転写面を有する円筒状外型を配設し、その状態で該内型、及び該外型を加熱して、該フィルムを軟化させるとともに、該内型を熱膨張させることにより該フィルムの外周面に該外型の該内周面を熱圧転写する工程と、
を有することを特徴とする転写搬送シームレスベルトの製造方法。
【請求項２】  前記内型に嵌合する前の前記フィルムの前記内周長が、前記内型の前記外周長の９０％以上かつ１００％未満である請求項１に記載の転写搬送シームレスベルトの製造方法。
【請求項３】  該フィルムの周長を伸張させて該内型の外周面に嵌合する工程が、該内型の片端部に配設したテーパー部材の外周に該フィルムを被せ、該フィルムを該テーパー部材に沿わせて該内型の方向に移動させることにより該フィルムの内径を伸張させながら該内型の外周面に嵌合する工程を含む請求項１または２に記載の転写搬送シームレスベルトの製造方法。
【請求項４】  画像形成装置用の転写搬送シームレスベルトの製造方法において、
円筒状内型の外周長よりも小さな内周長を有する２つの熱可塑性無端状フィルムの各々を、それらの周長を伸張させて該内型の外周面に嵌合する工程と、
複数の該フィルムを嵌合した該内型の外側に、該内型よりも線膨張係数が小さく、その内周面に転写面を有する円筒状外型を配設し、その状態で該内型、及び該外型を加熱して、該複数のフィルムを軟化させるとともに、該内型を熱膨張させることにより該フィルムの最外周面に該外型の該内周面を熱圧転写すると同時に該複数のフィルムを熱溶着する工程と、
を有することを特徴とする転写搬送シームレスベルトの製造方法。
【請求項５】  前記内型に嵌合する前の前記フィルムの前記内周長が、前記内型の前記外周長の９０％以上かつ１００％未満である請求項４に記載の転写搬送シームレスベルトの製造方法。
【請求項６】  前記フィルムの各々の周長を伸張させて内型の外周面に嵌合する工程が、該内型の片端部に配設したテーパー部材の外周に該フィルムを被せ、該フィルムを該テーパー部材に沿わせて該内型の方向に移動させることにより該フィルムの内径を伸張させながら該内型の外周面に嵌合する工程を含む請求項４または５に記載の転写搬送シームレスベルトの製造方法。
【請求項７】  前記複数のフィルムの主原料が同一の熱可塑性樹脂である請求項４〜６のいずれかに記載の転写搬送シームレスベルトの製造方法。
【手続補正３】
【補正対象書類名】明細書
【補正対象項目名】０００１
【補正方法】変更
【補正の内容】
【０００１】
【発明の属する技術分野】
本発明は、画像形成装置に用いられる転写搬送シームレスベルトの製造方法に関する。
【手続補正４】
【補正対象書類名】明細書
【補正対象項目名】０００９
【補正方法】変更
【補正の内容】
【０００９】
【発明が解決しようとする課題】
そこで本発明者等は前述の問題点を解決した、従来と異なる新規な転写搬送シームレスベルトの製造方法を提案するものである。
【手続補正５】
【補正対象書類名】明細書
【補正対象項目名】００１０
【補正方法】変更
【補正の内容】
【００１０】
本発明の目的は、寸法精度が極めて良好な転写搬送シームレスベルトの製造方法を提供することにある。
【手続補正６】
【補正対象書類名】明細書
【補正対象項目名】００１１
【補正方法】変更
【補正の内容】
【００１１】
また、本発明の目的は、低コストで工程数が少なく、多層化も可能な転写搬送シームレスベルトの製造方法を提供することにある。
【手続補正７】
【補正対象書類名】明細書
【補正対象項目名】００１２
【補正方法】変更
【補正の内容】
【００１２】
【課題を解決するための手段】
従って、本発明は、画像形成装置用の転写搬送シームレスベルトの製造方法において、
円筒状内型の外周長よりも小さな内周長を有する熱可塑性無端状フィルムの周長を伸張させて該フィルムを該内型の外周面に嵌合する工程と、
該フィルムを嵌合した該内型の外側に、該内型よりも線膨張係数が小さく、その内周面に転写面を有する円筒状外型を配設し、その状態で該内型、及び該外型を加熱して、該フィルムを軟化させるとともに、該内型を熱膨張させることにより該フィルムの外周面に該外型の該内周面を熱圧転写する工程と、
を有することを特徴とする転写搬送シームレスベルトの製造方法である。
【手続補正８】
【補正対象書類名】明細書
【補正対象項目名】００１３
【補正方法】変更
【補正の内容】
【００１３】
また、本発明は、画像形成装置用の転写搬送シームレスベルトの製造方法において、
円筒状内型の外周長よりも小さな内周長を有する２つの熱可塑性無端状フィルムの各々を、それらの周長を伸張させて該内型の外周面に嵌合する工程と、
複数の該フィルムを嵌合した該内型の外側に、該内型よりも線膨張係数が小さく、その内周面に転写面を有する円筒状外型を配設し、その状態で該内型、及び該外型を加熱して、該複数のフィルムを軟化させるとともに、該内型を熱膨張させることにより該フィルムの最外周面に該外型の該内周面を熱圧転写すると同時に該複数のフィルムを熱溶着する工程と、
を有することを特徴とする転写搬送シームレスベルトの製造方法である。
【手続補正９】
【補正対象書類名】明細書
【補正対象項目名】００１４
【補正方法】変更
【補正の内容】
【００１４】
上記のように円筒状内型の外周長よりも小さな内周長を有する熱可塑性無端状フィルムの周長を伸張させ、円筒状内型の外周面側に熱可塑性無端状フィルムを嵌合させることにより、円筒状内型と熱可塑性無端状フィルムの間へのエアーの巻き込みは完全に解消される。また、２つの熱可塑性無端状フィルムの各々を、それらの周長を伸張させつつこれを円筒状内型の外周面に嵌合する工程により、各層間へのエアーの巻き込みのない転写搬送シームレスベルトを得ることができる。さらに、複数層を嵌合する場合は、予めある程度の膜厚精度で製造された単層の熱可塑性無端状フィルムを積層することから、各層の膜厚ムラを小さく抑えることができる。
【手続補正１０】
【補正対象書類名】明細書
【補正対象項目名】００６１
【補正方法】変更
【補正の内容】
【００６１】
【発明の効果】
以上に説明したように本発明によれば、円筒状内型の外周長よりも小さな内周長を有する熱可塑性無端状フィルムの周長を伸張させて該フィルムを該内型の外周面に嵌合する工程と、
該フィルムを嵌合した該内型の外側に、該内型よりも線膨張係数が小さく、その内周面に転写面を有する円筒状外型を配設し、その状態で該内型、及び該外型を加熱して、該フィルムを軟化させるとともに、該内型を熱膨張させることにより該フィルムの外周面に該外型の該内周面を熱圧転写する工程と、
を有することを特徴とする転写搬送シームレスベルトの製造方法が実現し、およびこの製造方法により製造された転写搬送シームレスベルトにより、低コストで寸法精度が極めて良好な転写搬送シームレスベルトを得ることができるという効果が得られる。
【手続補正１１】
【補正対象書類名】明細書
【補正対象項目名】００６２
【補正方法】変更
【補正の内容】
【００６２】
また、円筒状内型の外周長よりも小さな内周長を有する２つの熱可塑性無端状フィルムの各々を、それらの周長を伸張させて該内型の外周面に嵌合する工程と、
複数の該フィルムを嵌合した該内型の外側に、該内型よりも線膨張係数が小さく、その内周面に転写面を有する円筒状外型を配設し、その状態で該内型、及び該外型を加熱して、該複数のフィルムを軟化させるとともに、該内型を熱膨張させることにより該フィルムの最外周面に該外型の該内周面を熱圧転写すると同時に該複数のフィルムを熱溶着する工程と、
を有することを特徴とする転写搬送シームレスベルトの製造方法が実現し、およびこの製造方法により製造された転写搬送シームレスベルトにより、工程数が少なく、低コストで寸法精度の極めて良好な多層構成に特徴のある転写搬送シームレスベルトを得ることができるという効果がある。